(57)【特許請求の範囲】
【請求項１】
第１の医療従事者による放射線治療を、前記第１の医療従事者とは地理的に離れた場所から第２の医療従事者が支援するための放射線治療支援システムであって、
前記第１の医療従事者によって使用される第１の医療従事者用端末、及び前記第２の医療従事者によって使用される第２の医療従事者用端末とそれぞれ通信回線を介して通信接続される放射線治療支援サーバ
を備え、
前記放射線治療支援サーバは、
前記第１の医療従事者により診察された患者の診察情報として、前記患者の患部が撮像された撮像画像を含む診察データを、前記第１の医療従事者用端末から受信する診察データ受信部と、
前記診察データ受信部が受信した前記診察データを、前記第２の医療従事者用端末へ送信する診察データ送信部と、
前記診察情報を参照して立案された前記患者に対する放射線治療計画に関する治療計画情報の入力を受け付ける治療計画情報入力受付部と、
前記診察情報を参照して前記第１の医療従事者により立案された前記放射線治療計画に関する治療計画情報の入力を、前記第１の医療従事者用端末を介して前記治療計画情報入力受付部が受け付けた場合に、当該治療計画情報を含む治療計画データを、前記第２の医療従事者用端末へ送信する治療計画データ送信部と、
前記診察データ送信部が送信した前記診察データに含まれる前記診察情報を参照して前記第２の医療従事者により立案された前記患者に対する放射線治療計画に関する治療計画情報の入力を、前記第２の医療従事者用端末を介して前記治療計画情報入力受付部が受け付けた場合、又は前記治療計画データ送信部が送信した前記治療計画データに含まれる前記治療計画情報を参照して前記第２の医療従事者により見直された前記患者に対する放射線治療計画に関する治療計画情報の入力を、前記第２の医療従事者用端末を介して前記治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部と、
前記治療計画情報入力受付部が入力を受け付けた前記治療計画情報と、前記制御コマンド生成部が生成した制御コマンドとを含む治療データを、前記第１の医療従事者用端末へ送信する治療データ送信部と
を有する放射線治療支援システム。
【請求項２】
前記放射線治療支援サーバは、
前記診察データ受信部が受信した前記診察データに含まれる前記診察情報と、前記治療計画情報入力受付部が入力を受け付けた治療計画情報とが対応付けられて格納される治療計画情報格納部と、
前記患者の診察情報と、前記治療計画情報格納部に格納されている情報とに基づいて、前記治療計画を生成する治療計画生成部と、
前記治療計画生成部が生成した前記治療計画に関する治療計画情報を出力する治療計画情報出力部と
を更に有し、
前記治療計画情報入力受付部は、前記患者の診察情報と、前記治療計画情報出力部が出力した前記治療計画情報とを参照して立案された前記放射線治療計画に関する治療計画情報の入力を受け付ける
請求項１に記載の放射線治療支援システム。
【請求項３】
前記治療計画情報格納部には、前記患者の治療歴に関する情報が更に対応付けられて格納される
請求項２に記載の放射線治療支援システム。
【請求項４】
前記放射線治療支援サーバは、
前記第１の医療従事者により放射線治療されている最中の前記患者の治療中情報として、放射線治療中の前記患者の患部が撮像された撮像画像を含む治療中データを、前記第１の医療従事者用端末から受信する治療中データ受信部と、
前記治療中データ受信部が受信した前記治療中データを、前記第２の医療従事者用端末へ送信する治療中データ送信部と
を更に有する請求項１から３のいずれか一項に記載の放射線治療支援システム。
【請求項５】
前記放射線治療支援サーバは、
前記放射線治療装置の現況に関する現況情報を含む現況データを、前記第１の医療従事者用端末から受信する現況データ受信部と、
前記現況データ受信部が受信した前記現況データを、前記第２の医療従事者用端末へ送信する現況データ送信部と
を更に有する請求項１から４のいずれか一項に記載の放射線治療支援システム。
【請求項６】
第１の医療従事者による放射線治療を、前記第１の医療従事者とは地理的に離れた場所から第２の医療従事者が支援するための放射線治療支援方法であって、
第１の医療従事者により診察された患者の診察情報として、前記患者の患部が撮像された撮像画像を含む診察データを、前記第１の医療従事者によって使用される前記第１の医療従事者用端末から受信する診察データ受信段階と、
前記診察データ受信段階において受信された前記診察データを、前記第２の医療従事者によって使用される第２の医療従事者用端末へ送信する診察データ送信段階と、
前記診察情報を参照して立案された前記患者に対する放射線治療計画に関する治療計画情報の入力を受け付ける治療計画情報入力受付段階と、
前記診察情報を参照して前記第１の医療従事者により立案された前記放射線治療計画に関する治療計画情報の入力が、前記第１の医療従事者用端末を介して前記治療計画情報入力受付段階において受け付けられた場合に、当該治療計画情報を含む治療計画データを、前記第２の医療従事者用端末へ送信する治療計画データ送信段階と、
前記診察データ送信段階において送信された前記診察データに含まれる前記診察情報を参照して前記第２の医療従事者により立案された前記患者に対する放射線治療計画に関する治療計画情報の入力が、前記第２の医療従事者用端末を介して前記治療計画情報入力受付段階において受け付けられた場合、又は前記治療計画データ送信段階において送信された前記治療計画データに含まれる前記治療計画情報を参照して前記第２の医療従事者により見直された前記患者に対する放射線治療計画に関する治療計画情報の入力が、前記第２の医療従事者用端末を介して前記治療計画情報入力受付段階において受け付けられた場合にのみ、当該治療計画情報に基づいて、当該放射線治療計画に従って放射線治療すべく、放射線治療装置を制御するための制御コマンドを生成する制御コマンド生成段階と、
前記治療計画情報入力受付段階において入力が受け付けられた前記治療計画情報と、前記制御コマンド生成段階において生成された制御コマンドとを含む治療データを、前記第１の医療従事者用端末へ送信する治療データ送信段階と
を備える放射線治療支援方法。
【請求項７】
第１の医療従事者による放射線治療を、前記第１の医療従事者とは地理的に離れた場所から第２の医療従事者が支援するための放射線治療支援システムにおいて、前記第１の医療従事者によって使用される第１の医療従事者用端末、及び前記第２の医療従事者によって使用される第２の医療従事者用端末とそれぞれ通信回線を介して通信接続される放射線治療支援サーバであって、
前記第１の医療従事者により診察された患者の診察情報として、前記患者の患部が撮像された撮像画像を含む診察データを、前記第１の医療従事者用端末から受信する診察データ受信部と、
前記診察データ受信部が受信した前記診察データを、前記第２の医療従事者用端末へ送信する診察データ送信部と、
前記診察情報を参照して立案された前記患者に対する放射線治療計画に関する治療計画情報の入力を受け付ける治療計画情報入力受付部と、
前記診察情報を参照して前記第１の医療従事者により立案された前記放射線治療計画に関する治療計画情報の入力を、前記第１の医療従事者用端末を介して前記治療計画情報入力受付部が受け付けた場合に、当該治療計画情報を含む治療計画データを、前記第２の医療従事者用端末へ送信する治療計画データ送信部と、
前記診察データ送信部が送信した前記診察データに含まれる前記診察情報を参照して前記第２の医療従事者により立案された前記患者に対する放射線治療計画に関する治療計画情報の入力を、前記第２の医療従事者用端末を介して前記治療計画情報入力受付部が受け付けた場合、又は前記治療計画データ送信部が送信した前記治療計画データに含まれる前記治療計画情報を参照して前記第２の医療従事者により見直された前記患者に対する放射線治療計画に関する治療計画情報の入力を、前記第２の医療従事者用端末を介して前記治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部と、
前記治療計画情報入力受付部が入力を受け付けた前記治療計画情報と、前記制御コマンド生成部が生成した制御コマンドとを含む治療データを、前記第１の医療従事者用端末へ送信する治療データ送信部と
を備える放射線治療支援サーバ。
【請求項８】
第１の医療従事者による放射線治療を、前記第１の医療従事者とは地理的に離れた場所から第２の医療従事者が支援するための放射線治療支援システムにおいて、前記第１の医療従事者によって使用される第１の医療従事者用端末、及び前記第２の医療従事者によって使用される第２の医療従事者用端末とそれぞれ通信回線を介して通信接続される放射線治療支援サーバとして、コンピュータを機能させるプログラムであって、
前記コンピュータを、
前記第１の医療従事者により診察された患者の診察情報として、前記患者の患部が撮像された撮像画像を含む診察データを、前記第１の医療従事者用端末から受信する診察データ受信部、
前記診察データ受信部が受信した前記診察データを、前記第２の医療従事者用端末へ送信する診察データ送信部、
前記診察情報を参照して立案された前記患者に対する放射線治療計画に関する治療計画情報の入力を受け付ける治療計画情報入力受付部、
前記診察情報を参照して前記第１の医療従事者により立案された前記放射線治療計画に関する治療計画情報の入力を、前記第１の医療従事者用端末を介して前記治療計画情報入力受付部が受け付けた場合に、当該治療計画情報を含む治療計画データを、前記第２の医療従事者用端末へ送信する治療計画データ送信部、
前記診察データ送信部が送信した前記診察データに含まれる前記診察情報を参照して前記第２の医療従事者により立案された前記患者に対する放射線治療計画に関する治療計画情報の入力を、前記第２の医療従事者用端末を介して前記治療計画情報入力受付部が受け付けた場合、又は前記治療計画データ送信部が送信した前記治療計画データに含まれる前記治療計画情報を参照して前記第２の医療従事者により見直された前記患者に対する放射線治療計画に関する治療計画情報の入力を、前記第２の医療従事者用端末を介して前記治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部、
前記治療計画情報入力受付部が入力を受け付けた前記治療計画情報と、前記制御コマンド生成部が生成した制御コマンドとを含む治療データを、前記第１の医療従事者用端末へ送信する治療データ送信部
として機能させるプログラム。
【請求項９】
第１の医療従事者による放射線治療を、前記第１の医療従事者とは地理的に離れた場所から第２の医療従事者が支援するための放射線治療支援システムにおいて、前記第１の医療従事者によって使用される第１の医療従事者用端末、及び前記第２の医療従事者によって使用される第２の医療従事者用端末とそれぞれ通信回線を介して通信接続される放射線治療支援サーバとして、コンピュータを機能させるプログラムを記録した記録媒体であって、
前記コンピュータを、
前記第１の医療従事者により診察された患者の診察情報として、前記患者の患部が撮像された撮像画像を含む診察データを、前記第１の医療従事者用端末から受信する診察データ受信部、
前記診察データ受信部が受信した前記診察データを、前記第２の医療従事者用端末へ送信する診察データ送信部、
前記診察情報を参照して立案された前記患者に対する放射線治療計画に関する治療計画情報の入力を受け付ける治療計画情報入力受付部、
前記診察情報を参照して前記第１の医療従事者により立案された前記放射線治療計画に関する治療計画情報の入力を、前記第１の医療従事者用端末を介して前記治療計画情報入力受付部が受け付けた場合に、当該治療計画情報を含む治療計画データを、前記第２の医療従事者用端末へ送信する治療計画データ送信部、
前記診察データ送信部が送信した前記診察データに含まれる前記診察情報を参照して前記第２の医療従事者により立案された前記患者に対する放射線治療計画に関する治療計画情報の入力を、前記第２の医療従事者用端末を介して前記治療計画情報入力受付部が受け付けた場合、又は前記治療計画データ送信部が送信した前記治療計画データに含まれる前記治療計画情報を参照して前記第２の医療従事者により見直された前記患者に対する放射線治療計画に関する治療計画情報の入力を、前記第２の医療従事者用端末を介して前記治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部、
前記治療計画情報入力受付部が入力を受け付けた前記治療計画情報と、前記制御コマンド生成部が生成した制御コマンドとを含む治療データを、前記第１の医療従事者用端末へ送信する治療データ送信部
として機能させるプログラムを記録した記録媒体。
【発明の詳細な説明】
【技術分野】
【０００１】
本発明は、放射線治療支援システム、放射線治療支援方法、放射線治療支援サーバ、プログラム、及び記録媒体に関する。特に本発明は、第１の医療従事者による放射線治療を、第１の医療従事者とは地理的に離れた場所から第２の医療従事者が支援するための放射線治療支援システム、放射線治療支援方法、当該放射線治療支援システムにおいて、第１の医療従事者によって使用される第１の医療従事者用端末、及び第２の医療従事者によって使用される第２の医療従事者用端末とそれぞれ通信回線を介して通信接続される放射線治療支援サーバ、当該放射線治療支援サーバとしてコンピュータを機能させるプログラム、並びに当該プログラムを記録した記録媒体に関する。
【背景技術】
【０００２】
放射線療法は、癌等に線量を集中し、且つ周囲正常組織への線量を少なくし、合併症を抑制して癌を根治することを目的としている。もちろん、放射線療法は、根治的放射線療法だけでなく、緩和、対症療法としても有効である。いずれにしても、放射線療法を行うにあたっては、このような目的を達成するために、症例毎に、照射野、照射法、線量分割法、併用療法等を含めた適切な放射線治療計画をたてる必要がある。放射線治療計画をたてるにあたっては、患者の年齢、一般状態、原発巣、病期、病理組織型、病巣の進展範囲、リスク臓器の位置、根治的か対症・姑息的か、過去に行われた治療内容、合併症の有無等の点を考慮する。【０００３】
ところで、近年の放射線治療装置は、線量制御や機械制御することができるようになり、より多様な線量照射ができるようになってきている。また、このような放射線治療装置の技術の進歩に伴って、放射線治療のレベルは、従来、医師間、医療機関間において比較的均一であったものが、治療のアウトカムにおいて、治療計画の巧拙や差異が生じるようになってきている。【０００４】
そのため、放射線治療計画の重要性は、従来にも増して高まりつつある。しかしながら、最新の放射線治療装置を医療機関に導入する場合、その医療機関において放射線治療に従事する医療従事者は、最新の放射線治療装置を駆使する適切な放射線治療計画を立案するための十分な知識や経験を有していないことが多い。【０００５】
このような背景に関連する技術としては、様々なものが知られている（例えば、特許文献１参照。）。【０００６】
例えば、特許文献１には、放射線治療計画を遠隔検討する方法が記載されている。より具体的に説明すると、この方法の場合、患者を放射線治療する第１の医療従事者は、放射線治療計画を自ら立案する。そして、第１の医療従事者は、自ら立案した放射線治療計画を、遠隔地にいる第２の医療従事者へ送信する。そして、第２の医療従事者は、第１の医療従事者から受信した放射線治療計画が適切か否かを確認して、適切でない場合には、その放射線治療計画を編集する。そして、第２の医療従事者は、このように必要に応じて編集した後の放射線治療計画を、第１の医療従事者へ送信する。そして、第１の医療従事者は、第２の医療従事者から受信した放射線治療計画に従って、患者を放射線治療する。このようにして、この方法によっては、放射線治療装置を駆使する放射線治療計画を、第１の医療従事者がある程度立案することができれば、その放射線治療装置を駆使する適切な放射線治療計画を立案することができる十分な知識や経験を持っている第２の医療従事者のサポートを受けて、より良い放射線治療計画を得ることができる。
【先行技術文献】
【特許文献】
【０００７】
【特許文献１】国際公開第２００７／０１４１０９号
【発明の概要】
【発明が解決しようとする課題】
【０００８】
ところで、最新の放射線治療装置を医療機関に導入する場合には、その医療機関において放射線治療に従事する医療従事者が、その最新の放射線治療装置を駆使する放射線治療計画を立案するための知識や経験を、ほとんど有していないこともある。そのような場合、そもそも、患者を放射線治療する医療従事者が自ら放射線治療計画を立案することができないため、特許文献１に記載の方法によっては、その医療従事者をサポートすることができない。
【課題を解決するための手段】
【０００９】
上記課題を解決するために、本発明の第１の形態によると、第１の医療従事者による放射線治療を、第１の医療従事者とは地理的に離れた場所から第２の医療従事者が支援するための放射線治療支援システムであって、第１の医療従事者によって使用される第１の医療従事者用端末、及び第２の医療従事者によって使用される第２の医療従事者用端末とそれぞれ通信回線を介して通信接続される放射線治療支援サーバを備え、放射線治療支援サーバは、第１の医療従事者により診察された患者の診察情報として、患者の患部が撮像された撮像画像を含む診察データを、第１の医療従事者用端末から受信する診察データ受信部と、診察データ受信部が受信した診察データを、第２の医療従事者用端末へ送信する診察データ送信部と、診察情報を参照して立案された患者に対する放射線治療計画に関する治療計画情報の入力を受け付ける治療計画情報入力受付部と、診察情報を参照して第１の医療従事者により立案された放射線治療計画に関する治療計画情報の入力を、第１の医療従事者用端末を介して治療計画情報入力受付部が受け付けた場合に、当該治療計画情報を含む治療計画データを、第２の医療従事者用端末へ送信する治療計画データ送信部と、診察データ送信部が送信した診察データに含まれる診察情報を参照して第２の医療従事者により立案された患者に対する放射線治療計画に関する治療計画情報の入力を、第２の医療従事者用端末を介して治療計画情報入力受付部が受け付けた場合、又は治療計画データ送信部が送信した治療計画データに含まれる治療計画情報を参照して第２の医療従事者により見直された患者に対する放射線治療計画に関する治療計画情報の入力を、第２の医療従事者用端末を介して治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部と、治療計画情報入力受付部が入力を受け付けた治療計画情報と、制御コマンド生成部が生成した制御コマンドとを含む治療データを、第１の医療従事者用端末へ送信する治療データ送信部とを有する。
【００１３】
放射線治療支援サーバは、診察データ受信部が受信した診察データに含まれる診察情報と、治療計画情報入力受付部が入力を受け付けた治療計画情報とが対応付けられて格納される治療計画情報格納部と、患者の診察情報と、治療計画情報格納部に格納されている情報とに基づいて、治療計画を生成する治療計画生成部と、治療計画生成部が生成した治療計画に関する治療計画情報を出力する治療計画情報出力部とを更に有し、治療計画情報入力受付部は、患者の診察情報と、治療計画情報出力部が出力した治療計画情報とを参照して立案された放射線治療計画に関する治療計画情報の入力を受け付けてよい。【００１４】
治療計画情報格納部には、患者の治療歴に関する情報が更に対応付けられて格納されてよい。【００１５】
放射線治療支援サーバは、第１の医療従事者により放射線治療されている最中の患者の治療中情報として、放射線治療中の患者の患部が撮像された撮像画像を含む治療中データを、第１の医療従事者用端末から受信する治療中データ受信部と、治療中データ受信部が受信した治療中データを、第２の医療従事者用端末へ送信する治療中データ送信部とを更に有してよい。【００１６】
放射線治療支援サーバは、放射線治療装置の現況に関する現況情報を含む現況データを、第１の医療従事者用端末から受信する現況データ受信部と、現況データ受信部が受信した現況データを、第２の医療従事者用端末へ送信する現況データ送信部とを更に有してよい。【００１７】
本発明の第２の形態によると、第１の医療従事者による放射線治療を、第１の医療従事者とは地理的に離れた場所から第２の医療従事者が支援するための放射線治療支援方法であって、第１の医療従事者により診察された患者の診察情報として、患者の患部が撮像された撮像画像を含む診察データを、第１の医療従事者によって使用される第１の医療従事者用端末から受信する診察データ受信段階と、診察データ受信段階において受信された診察データを、第２の医療従事者によって使用される第２の医療従事者用端末へ送信する診察データ送信段階と、診察情報を参照して立案された患者に対する放射線治療計画に関する治療計画情報の入力を受け付ける治療計画情報入力受付段階と、診察情報を参照して第１の医療従事者により立案された放射線治療計画に関する治療計画情報の入力が、第１の医療従事者用端末を介して治療計画情報入力受付段階において受け付けられた場合に、当該治療計画情報を含む治療計画データを、第２の医療従事者用端末へ送信する治療計画データ送信段階と、診察データ送信段階において送信された診察データに含まれる診察情報を参照して第２の医療従事者により立案された患者に対する放射線治療計画に関する治療計画情報の入力が、第２の医療従事者用端末を介して治療計画情報入力受付段階において受け付けられた場合、又は治療計画データ送信段階において送信された治療計画データに含まれる治療計画情報を参照して第２の医療従事者により見直された患者に対する放射線治療計画に関する治療計画情報の入力が、第２の医療従事者用端末を介して治療計画情報入力受付段階において受け付けられた場合にのみ、当該治療計画情報に基づいて、当該放射線治療計画に従って放射線治療すべく、放射線治療装置を制御するための制御コマンドを生成する制御コマンド生成段階と、治療計画情報入力受付段階において入力が受け付けられた治療計画情報と、制御コマンド生成段階において生成された制御コマンドとを含む治療データを、第１の医療従事者用端末へ送信する治療データ送信段階とを備える。
【００１８】
本発明の第３の形態によると、第１の医療従事者による放射線治療を、第１の医療従事者とは地理的に離れた場所から第２の医療従事者が支援するための放射線治療支援システムにおいて、第１の医療従事者によって使用される第１の医療従事者用端末、及び第２の医療従事者によって使用される第２の医療従事者用端末とそれぞれ通信回線を介して通信接続される放射線治療支援サーバであって、第１の医療従事者により診察された患者の診察情報として、患者の患部が撮像された撮像画像を含む診察データを、第１の医療従事者用端末から受信する診察データ受信部と、診察データ受信部が受信した診察データを、第２の医療従事者用端末へ送信する診察データ送信部と、診察情報を参照して立案された患者に対する放射線治療計画に関する治療計画情報の入力を受け付ける治療計画情報入力受付部と、診察情報を参照して第１の医療従事者により立案された放射線治療計画に関する治療計画情報の入力を、第１の医療従事者用端末を介して治療計画情報入力受付部が受け付けた場合に、当該治療計画情報を含む治療計画データを、第２の医療従事者用端末へ送信する治療計画データ送信部と、診察データ送信部が送信した診察データに含まれる診察情報を参照して第２の医療従事者により立案された患者に対する放射線治療計画に関する治療計画情報の入力を、第２の医療従事者用端末を介して治療計画情報入力受付部が受け付けた場合、又は治療計画データ送信部が送信した治療計画データに含まれる治療計画情報を参照して第２の医療従事者により見直された患者に対する放射線治療計画に関する治療計画情報の入力を、第２の医療従事者用端末を介して治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部と、治療計画情報入力受付部が入力を受け付けた治療計画情報と、制御コマンド生成部が生成した制御コマンドとを含む治療データを、第１の医療従事者用端末へ送信する治療データ送信部とを備える。
【００１９】
本発明の第４の形態によると、第１の医療従事者による放射線治療を、第１の医療従事者とは地理的に離れた場所から第２の医療従事者が支援するための放射線治療支援システムにおいて、第１の医療従事者によって使用される第１の医療従事者用端末、及び第２の医療従事者によって使用される第２の医療従事者用端末とそれぞれ通信回線を介して通信接続される放射線治療支援サーバとして、コンピュータを機能させるプログラムであって、コンピュータを、第１の医療従事者により診察された患者の診察情報として、患者の患部が撮像された撮像画像を含む診察データを、第１の医療従事者用端末から受信する診察データ受信部、診察データ受信部が受信した診察データを、第２の医療従事者用端末へ送信する診察データ送信部、診察情報を参照して立案された患者に対する放射線治療計画に関する治療計画情報の入力を受け付ける治療計画情報入力受付部、診察情報を参照して第１の医療従事者により立案された放射線治療計画に関する治療計画情報の入力を、第１の医療従事者用端末を介して治療計画情報入力受付部が受け付けた場合に、当該治療計画情報を含む治療計画データを、第２の医療従事者用端末へ送信する治療計画データ送信部、診察データ送信部が送信した診察データに含まれる診察情報を参照して第２の医療従事者により立案された患者に対する放射線治療計画に関する治療計画情報の入力を、第２の医療従事者用端末を介して治療計画情報入力受付部が受け付けた場合、又は治療計画データ送信部が送信した治療計画データに含まれる治療計画情報を参照して第２の医療従事者により見直された患者に対する放射線治療計画に関する治療計画情報の入力を、第２の医療従事者用端末を介して治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部、治療計画情報入力受付部が入力を受け付けた治療計画情報と、制御コマンド生成部が生成した制御コマンドとを含む治療データを、第１の医療従事者用端末へ送信する治療データ送信部として機能させる。
【００２０】
本発明の第５の形態によると、第１の医療従事者による放射線治療を、第１の医療従事者とは地理的に離れた場所から第２の医療従事者が支援するための放射線治療支援システムにおいて、第１の医療従事者によって使用される第１の医療従事者用端末、及び第２の医療従事者によって使用される第２の医療従事者用端末とそれぞれ通信回線を介して通信接続される放射線治療支援サーバとして、コンピュータを機能させるプログラムを記録した記録媒体であって、コンピュータを、第１の医療従事者により診察された患者の診察情報として、患者の患部が撮像された撮像画像を含む診察データを、第１の医療従事者用端末から受信する診察データ受信部、診察データ受信部が受信した診察データを、第２の医療従事者用端末へ送信する診察データ送信部、診察情報を参照して立案された患者に対する放射線治療計画に関する治療計画情報の入力を受け付ける治療計画情報入力受付部、診察情報を参照して第１の医療従事者により立案された放射線治療計画に関する治療計画情報の入力を、第１の医療従事者用端末を介して治療計画情報入力受付部が受け付けた場合に、当該治療計画情報を含む治療計画データを、第２の医療従事者用端末へ送信する治療計画データ送信部、診察データ送信部が送信した診察データに含まれる診察情報を参照して第２の医療従事者により立案された患者に対する放射線治療計画に関する治療計画情報の入力を、第２の医療従事者用端末を介して治療計画情報入力受付部が受け付けた場合、又は治療計画データ送信部が送信した治療計画データに含まれる治療計画情報を参照して第２の医療従事者により見直された患者に対する放射線治療計画に関する治療計画情報の入力を、第２の医療従事者用端末を介して治療計画情報入力受付部が受け付けた場合にのみ、当該治療計画情報に基づいて、当該放射線治療計画に従って放射線治療すべく、放射線治療装置を制御するための制御コマンドを生成する制御コマンド生成部、治療計画情報入力受付部が入力を受け付けた治療計画情報と、制御コマンド生成部が生成した制御コマンドとを含む治療データを、第１の医療従事者用端末へ送信する治療データ送信部として機能させるプログラムを記録した。
【００２１】
なおまた、上記の発明の概要は、本発明の必要な特徴の全てを列挙したものではない。また、これらの特徴群のサブコンビネーションもまた、発明となり得る。
【発明の効果】
【００２２】
以上の説明から明らかなように、この発明によっては、患者を放射線治療する医療従事者が自ら放射線治療計画を立案することができなくても、その医療従事者をサポートすることができる。
【図面の簡単な説明】
【００２３】
【図１】一実施形態に係る放射線治療支援システム１００の利用環境の一例を示す図である。
【図２】放射線治療支援サーバ１１０のブロック構成の一例を示す図である。
【図３】治療計画情報格納部１２３に格納される情報の一例をテーブル形式で示す図である。
【図４】現況情報格納部１２４に格納される情報の一例をテーブル形式で示す図である。
【図５】放射線治療支援サーバ１１０、第１の医療従事者用端末１３０、及び第２の医療従事者用端末１５０の動作シーケンスの一例を示す図である。
【図６】放射線治療支援サーバ１１０、第１の医療従事者用端末１３０、及び第２の医療従事者用端末１５０の動作シーケンスの一例を示す図である。
【図７】放射線治療支援サーバ１１０、第１の医療従事者用端末１３０、及び第２の医療従事者用端末１５０の動作シーケンスの一例を示す図である。
【図８】放射線治療支援サーバ１１０、第１の医療従事者用端末１３０、及び第２の医療従事者用端末１５０の動作シーケンスの一例を示す図である。
【図９】放射線治療支援サーバ１１０、第１の医療従事者用端末１３０、及び第２の医療従事者用端末１５０の動作シーケンスの一例を示す図である。
【図１０】本実施形態に係る放射線治療支援サーバ１１０を構成するコンピュータ８００のハードウェア構成の一例を示す図である。
【発明を実施するための形態】
【００２４】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２５】
図１は、一実施形態に係る放射線治療支援システム１００の利用環境の一例を示す。放射線治療支援システム１００は、第１の医療従事者による放射線治療を、第１の医療従事者とは地理的に離れた場所から第２の医療従事者が支援するためのシステムである。ここで、医療従事者とは、放射線医療業務の従事者である。例えば、医療従事者としては、医師、診療放射線技師、及び看護師等が挙げられる。本実施形態において、第１の医療従事者は、医療機関Ｍａにて放射線医療業務に従事しており、適切な放射線治療計画を自らたてることができないレベルにあることを想定している。一方、第２の医療従事者は、医用機関Ｍｂにて放射線医療業務に従事しており、適切な放射線治療計画を自らたてることができるレベルにあることを想定している。また、医療機関Ｍａは、医療機関Ｍｂとは地理的に離れた場所にあることを想定している。
【００２６】
放射線治療支援システム１００は、放射線治療支援サーバ１１０、第１の医療従事者用端末１３０、及び第２の医療従事者用端末１５０を備える。なおまた、第１の医療従事者用端末１３０、及び第２の医療従事者用端末１５０は、携帯電話、ＰＤＡ（Ｐｅｒｓｏｎａｌ  Ｄｉｇｉｔａｌ  Ａｓｓｉｓｔａｎｔｓ）等の携帯情報端末、及びパーソナルコンピュータを含む。
【００２７】
放射線治療支援サーバ１１０は、第１の医療従事者用端末１３０、及び第２の医療従事者用端末１５０と通信回線を介して通信接続される。より具体的に説明すると、放射線治療支援サーバ１１０は、医療機関Ｍａに設けられている。そして、放射線治療支援サーバ１１０は、ゲートウェイＧｂの外側の通信回線Ｎを介して、第１の医療従事者用端末１３０と通信接続される。また、放射線治療支援サーバ１１０は、ゲートウェイＧｂの内側のローカルネットワークを介して、第２の医療従事者用端末１５０と通信接続される。なおまた、通信回線Ｎ、及びローカルネットワークは、この発明における「通信回線」の一例であってよい。また、通信回線Ｎは、インターネット等のコンピュータネットワーク、通信事業者のコアネットワーク、及び種々のローカルネットワークを含む。
【００２８】
第１の医療従事者用端末１３０は、第１の医療従事者によって使用される端末である。より具体的に説明すると、第１の医療従事者用端末１３０は、医療機関Ｍａに設けられている。そして、第１の医療従事者用端末１３０は、ゲートウェイＧａの外側の通信回線Ｎを介して、放射線治療支援サーバ１１０、及び第２の医療従事者用端末１５０と通信接続される。また、第１の医療従事者用端末１３０は、ゲートウェイＧａの内側のローカルネットワークを介して、医用画像診断装置Ｄ、及び放射線治療装置Ｒと通信接続される。ここで、医用画像診断装置Ｄとは、人体を傷つけることなく、通常は目視できない部分をイメージ化し、断層像や三次元像を得る装置である。例えば、医用画像診断装置Ｄとしては、Ｘ線診断装置、Ｘ線ＣＴ（Ｃｏｍｐｕｔｅｄ  Ｔｏｍｏｇｒａｐｈｙ）装置、核医学診断装置、超音波診断装置、及びＭＲＩ（Ｍａｇｎｅｔｉｃ  Ｒｅｓｏｎａｎｃｅ  Ｉｍａｇｉｎｇ）装置等が挙げられる。また、放射線治療装置Ｒとは、医療用画像技術とロボット技術とを活用し、癌患部の位置を正確に把握して、ピンポイントで放射線を照射する装置である。例えば、放射線治療装置Ｒとしては、光子線治療装置、重粒子線治療装置、及び陽子線治療装置等が挙げられる。
【００２９】
第２の医療従事者用端末１５０は、第２の医療従事者によって使用される端末である。より具体的に説明すると、第２の医療従事者用端末１５０は、医療機関Ｍｂに設けられている。そして、第２の医療従事者用端末１５０は、ゲートウェイＧｂの内側のローカルネットワークを介して、放射線治療支援サーバ１１０と通信接続される。また、第２の医療従事者用端末１５０は、ゲートウェイＧｂの外側の通信回線Ｎを介して、第１の医療従事者用端末１３０と通信接続される。
【００３０】
なおまた、本実施形態においては、説明が煩雑になることを防ぐことを目的として、放射線治療支援システム１００が一の放射線治療支援サーバ１１０、第１の医療従事者用端末１３０、及び第２の医療従事者用端末１５０を備える構成について説明する。しかしながら、放射線治療支援システム１００は、複数の放射線治療支援サーバ１１０、第１の医療従事者用端末１３０、及び第２の医療従事者用端末１５０を備えてよい。
【００３１】
図２は、放射線治療支援サーバ１１０のブロック構成の一例を示す。放射線治療支援サーバ１１０は、現況データ受信部１１１、現況データ送信部１１２、診察データ受信部１１３、診察データ送信部１１４、治療計画生成部１１５、治療計画情報出力部１１６、治療計画情報入力受付部１１７、制御コマンド生成部１１８、治療データ送信部１１９、治療計画データ送信部１２０、治療中データ受信部１２１、治療中データ送信部１２２、治療計画情報格納部１２３、及び現況情報格納部１２４を有する。以下の説明においては、各構成要素の機能、及び動作を詳述する。
【００３２】
現況データ受信部１１１は、放射線治療装置Ｒの現況に関する現況情報を含む現況データを、第１の医療従事者用端末１３０から受信する。
【００３３】
現況データ送信部１１２は、現況データ受信部１１１が受信した現況データを、第２の医療従事者用端末１５０へ送信する。
【００３４】
診察データ受信部１１３は、第１の医療従事者により診察された患者の診察情報として、患者の患部が撮像された撮像画像を含む診察データを、第１の医療従事者用端末１３０から受信する。
【００３５】
診察データ送信部１１４は、診察データ受信部１１３が受信した診察データを、第２の医療従事者用端末１５０へ送信する。
【００３６】
治療計画生成部１１５は、患者の診察情報と、治療計画情報格納部１２３に格納されている情報とに基づいて、治療計画を生成する。
【００３７】
治療計画情報出力部１１６は、治療計画生成部１１５が生成した治療計画に関する治療計画情報を出力する。
【００３８】
治療計画情報入力受付部１１７は、診察情報を参照して立案された患者に対する放射線治療計画に関する治療計画情報の入力を受け付ける。例えば、治療計画情報入力受付部１１７は、診察データ送信部１１４が送信した診察データに含まれる診察情報を参照して第２の医療従事者により立案された放射線治療計画に関する治療計画情報の入力を、第２の医療従事者用端末１５０を介して受け付ける。また、例えば、治療計画情報入力受付部１１７は、診察情報を参照して第１の医療従事者により立案された放射線治療計画に関する治療計画情報の入力を、第１の医療従事者用端末１３０を介して受け付ける。また、例えば、治療計画情報入力受付部１１７は、治療計画データ送信部１２０が送信した治療計画データに含まれる治療計画情報を参照して第２の医療従事者により見直された放射線治療計画に関する治療計画情報の入力を、第２の医療従事者用端末１５０を介して受け付ける。また、例えば、治療計画情報入力受付部１１７は、患者の診察情報と、治療計画情報出力部１１６が出力した治療計画情報とを参照して立案された放射線治療計画に関する治療計画情報の入力を受け付ける。
【００３９】
制御コマンド生成部１１８は、治療計画情報入力受付部１１７が入力を受け付けた治療計画情報に基づいて、放射線治療計画に従って放射線治療すべく、放射線治療装置Ｒを制御するための制御コマンドを生成する。
【００４０】
治療データ送信部１１９は、治療計画情報入力受付部１１７が入力を受け付けた治療計画情報と、制御コマンド生成部１１８が生成した制御コマンドとを含む治療データを、第１の医療従事者用端末１３０へ送信する。
【００４１】
治療計画データ送信部１２０は、治療計画情報入力受付部１１７が治療計画情報の入力を、第１の医療従事者用端末１３０を介して受け付けた場合に、その治療計画情報を含む治療計画データを、第２の医療従事者用端末１５０へ送信する。
【００４２】
治療中データ受信部１２１は、第１の医療従事者により放射線治療されている最中の患者の治療中情報として、放射線治療中の患者の患部が撮像された撮像画像を含む治療中データを、第１の医療従事者用端末１３０から受信する。
【００４３】
治療中データ送信部１２２は、治療中データ受信部１２１が受信した治療中データを、第２の医療従事者用端末１５０へ送信する。
【００４４】
図３は、治療計画情報格納部１２３に格納される情報の一例をテーブル形式で示す。治療計画情報格納部１２３には、カルテＩＤ（ｉｄｅｎｔｉｆｉｅｒ）、氏名、診察情報、治療歴、治療計画情報、及び治療中情報の各情報が対応付けられて格納される。ここで、診察情報には、撮像画像、収縮期血圧（ｍｍＨｇ）、及び拡張期血圧（ｍｍＨｇ）等の情報が含まれる。
【００４５】
カルテＩＤの情報は、治療計画情報格納部１２３に格納される複数の患者の情報の中で、各情報を一意に識別するための識別符号である。氏名の情報は、患者の氏名を示す情報である。診察情報は、第１の医療従事者により診察された、患者の診察結果を示す情報である。例えば、撮像画像の情報は、第１の医療従事者により医用画像診断装置Ｄを使用して撮像された、患者の患部が撮像された撮像画像である。また、例えば、収縮期血圧（ｍｍＨｇ）の情報は、第１の医療従事者により診察された、患者の収縮期血圧を示す情報である。また、例えば、拡張期血圧（ｍｍＨｇ）の情報は、第１の医療従事者により診察された、患者の拡張期血圧を示す情報である。治療歴の情報は、患者の治療歴に関する情報である。治療計画情報は、治療計画情報入力受付部１１７が入力を受け付けた治療計画情報である。治療中情報は、治療中データ受信部１２１が受信した治療中データに含まれる治療中情報である。
【００４６】
図４は、現況情報格納部１２４に格納される情報の一例をテーブル形式で示す。現況情報格納部１２４には、情報取得日時（年／月／日）、放射線照射野、距離計、及びビーム出力の累積時間（ｈ）の各情報が対応付けられて格納される。
【００４７】
情報取得日時（年／月／日）の情報は、放射線治療装置Ｒの現況情報が取得された日時を示す情報である。放射線照射野の情報は、放射線治療装置Ｒの放射線照射野のチェック結果を示す情報である。距離計の情報は、放射線治療装置Ｒの距離計のチェック結果を示す情報である。ビーム出力の累積時間（ｈ）の情報は、放射線治療装置Ｒが最後に保守されてからビームを出力した累積時間を示す情報である。
【００４８】
図５は、放射線治療支援サーバ１１０、第１の医療従事者用端末１３０、及び第２の医療従事者用端末１５０の動作シーケンスの一例を示す。この動作シーケンスの説明においては、放射線治療装置Ｒの現況を、第２の医療従事者が遠隔監視するために必要な処理について詳述する。なおまた、この動作シーケンスの説明においては、図１から図４を共に参照する。
【００４９】
第１の医療従事者用端末１３０は、放射線治療装置Ｒの現況に関する現況情報の入力を受け付ける（Ｓ１０１）。より具体的に説明すると、現況情報とは、放射線治療装置Ｒの保守に必要な情報である。例えば、現況情報としては、放射線照射野のチェック情報、距離計のチェック情報、ビーム出力の累積時間（ｈ）のチェック情報等が挙げられる。第１の医療従事者用端末１３０は、放射線治療装置Ｒから電気的に出力された現況情報の入力を受け付けるようにしてもよいし、第１の医療従事者によるキーボード等の入力装置を使用した入力操作により現況情報の入力を受け付けるようにしてもよい。そして、第１の医療従事者用端末１３０は、現況情報の入力を受け付けると、その現況情報を含む現況データを、放射線治療支援サーバ１１０へ送信する（Ｓ１０２）。
【００５０】
そして、放射線治療支援サーバ１１０の現況データ受信部１１１は、第１の医療従事者用端末１３０から送信された現況データを受信すると、その現況データに含まれる現況情報を、現況情報格納部１２４に格納する。このようにして、放射線治療支援サーバ１１０の現況情報格納部１２４には、図４に示すような情報が対応付けられて格納される（Ｓ１０３）。
【００５１】
そして、放射線治療支援サーバ１１０の現況データ送信部１１２は、現況情報格納部１２４に新たな現況情報が格納されると、その現況情報を含む現況データを、第２の医療従事者用端末１５０へ送信する（Ｓ１０４）。
【００５２】
そして、第２の医療従事者用端末１５０は、放射線治療支援サーバ１１０から送信された現況データを受信すると、その現況データに含まれる現況情報を、ディスプレイ等の出力装置へ出力する（Ｓ１０５）。
【００５３】
このようにして、第２の医療従事者は、医療機関Ｍａから地理的に離れた医療機関Ｍｂにいながら、医療機関Ｍａに設けられた放射線治療装置Ｒの現況を確認することができる。例えば、第２の医療従事者は、放射線治療装置Ｒの現況を参照して、放射線治療装置Ｒの専門的なメンテナンスが必要であると判断すれば、医療機関Ｍａにスタッフを派遣する。また、例えば、第２の医療従事者は、簡易なメンテナンスが必要であると判断すれば、第１の医療従事者にメンテナンス方法を指示したりする。その場合、第２の医療従事者は、第２の医療従事者用端末１５０を第１の医療従事者用端末１３０に通信接続させて、テレカンファレンス機能等を使用して、メンテナンス方法を指示することもできる。
【００５４】
図６は、放射線治療支援サーバ１１０、第１の医療従事者用端末１３０、及び第２の医療従事者用端末１５０の動作シーケンスの一例を示す。この動作シーケンスの説明においては、放射線治療を受ける患者の診察情報を、第２の医療従事者が把握するために必要な処理について詳述する。なおまた、この動作シーケンスの説明においては、図１から図５を共に参照する。
【００５５】
第１の医療従事者用端末１３０は、第１の医療従事者により診察された患者の診察情報等の入力を受け付ける（Ｓ２０１）。例えば、第１の医療従事者用端末１３０は、患者の診察情報と共に、その患者の氏名や治療歴等の情報の入力を受け付ける。ここで、診察情報には、第１の医療従事者により医用画像診断装置Ｄを使用して撮像された、患者の患部が撮像された撮像画像が含まれる。また、診察情報には、例えば、患者の年齢、一般状態、原発巣、病期、病理組織型、病巣の進展範囲、リスク臓器の位置、根治的か対症・姑息的か、過去に行われた治療内容、合併症の有無等の情報が含まれる。例えば、第１の医療従事者用端末１３０は、医用画像診断装置Ｄから電気的に出力された撮像画像の入力を受け付ける。また、例えば、第１の医療従事者用端末１３０は、第１の医療従事者によるキーボード等の入力装置を使用した入力操作により、その他の診察情報等の情報の入力を受け付ける。そして、第１の医療従事者用端末１３０は、診察情報等の入力を受け付けると、その診察情報等と、その診察情報等を一意に識別するためのカルテＩＤとを含む診察データを、放射線治療支援サーバ１１０へ送信する（Ｓ２０２）。
【００５６】
そして、放射線治療支援サーバ１１０の診察データ受信部１１３は、第１の医療従事者用端末１３０から送信された診察データを受信すると、その診察データを、診察データ送信部１１４へ送ると共に、その診察データに含まれている診察情報等を、治療計画情報格納部１２３に格納する（Ｓ２０３）。このようにして、放射線治療支援サーバ１１０の治療計画情報格納部１２３には、図３に示すように、カルテＩＤ、氏名、検査情報、及び治療歴等の情報が対応付けられて格納される。
【００５７】
そして、放射線治療支援サーバ１１０の診察データ送信部１１４は、診察データ受信部１１３から送られた診察データを受け取ると、その診察データを、第２の医療従事者用端末１５０へ送信する（Ｓ２０４）。
【００５８】
そして、第２の医療従事者用端末１５０は、放射線治療支援サーバ１１０から送信された診察データを受信すると、その診察データに含まれる診察情報等を、ディスプレイ等の出力装置へ出力する（Ｓ２０５）。
【００５９】
このようにして、第２の医療従事者は、医療機関Ｍａから地理的に離れた医療機関Ｍｂにいながら、医療機関Ｍａにて第１の医療従事者により診察された患者の診察情報等を確認することができる。第２の医療従事者は、この患者の診察情報等を参照して、放射線治療計画を自ら立案したり、第１の医療従事者が立案した放射線治療計画を見直したりする。
【００６０】
図７は、放射線治療支援サーバ１１０、第１の医療従事者用端末１３０、及び第２の医療従事者用端末１５０の動作シーケンスの一例を示す。この動作シーケンスの説明においては、第２の医療従事者が放射線治療計画を立案する処理について詳述する。なおまた、この動作シーケンスの説明においては、図１から図６を共に参照する。
【００６１】
第２の医療従事者は、患者の診察情報等を取得すると、放射線治療支援サーバ１１０が提供する治療計画ソフトウェアを使用して、その患者の放射線治療計画を立案する。ここで、治療計画ソフトウェアとは、医用画像診断装置Ｄによる撮像画像に基づいて、適切な放射線治療計画を立案するためのソフトウェアである。例えば、第２の医療従事者は、第２の医療従事者用端末１５０に予めインストールされている所定のブラウザを使用して、放射線治療支援サーバ１１０が提供する治療計画ソフトウェアの機能にアクセスする（Ｓ３０１）。例えば、第２の医療従事者は、治療計画ソフトウェアを使用して患者の放射線治療計画を立案するにあたり、その患者の診察情報に付されたカルテＩＤを入力する。
【００６２】
そして、放射線治療支援サーバ１１０の治療計画生成部１１５は、治療計画ソフトウェアに対するアクセスがあると、治療計画情報格納部１２３に格納されている情報のうち、第２の医療従事者により入力されたカルテＩＤに対応付けられて格納されている対象患者の診察情報を読み出す。また、治療計画生成部１１５は、治療計画情報格納部１２３に既に格納されている他の患者の治療計画情報を読み出す。また、治療計画生成部１１５は、現況情報格納部１２４に格納されている情報のうち、放射線治療装置Ｒの最新の現況情報を読み出す。そして、治療計画生成部１１５は、これら情報に基づいて、放射線治療計画を生成する（Ｓ３０２）。放射線治療計画の手順として、治療計画生成部１１５は、まず照射すべき部位、即ち標的体積を決定する。標的体積の決定には、病巣の進展範囲の把握が最も重要である。したがって、治療計画生成部１１５は、例えば、患者の診察情報のうち、視診結果、触診結果はもとより、ＣＴ、ＭＲＩ（Ｍａｇｎｅｔｉｃ  Ｒｅｓｏｎａｎｃｅ  Ｉｍａｇｉｎｇ）、ＰＥＴ（Ｐｏｓｉｔｒｏｎ  Ｅｍｉｓｓｉｏｎ  Ｔｏｍｏｇｒａｐｈｙ）等の核医学検査結果、消化管造影検査結果等の各種画像診断結果、更には内視鏡所見等も参照する。このようにして、治療計画生成部１１５は、例えば、対象患者の患部の撮像画像を画像解析して、放射線を照射すべき患部領域と、放射線を照射してはならない危険領域とを特定する。そして、治療計画生成部１１５は、例えば、対象患者の患部領域と危険領域との位置関係に似た症例の他の患者の治療計画情報を参照して、放射線を照射する範囲や入射角度等の放射線治療計画を生成する。したがって、治療計画生成部１１５は、治療計画情報格納部１２３に格納されている治療計画情報の数が増すに連れて、より精度の高い放射線治療計画を生成することになる。なおまた、治療計画生成部１１５が治療計画を生成するアルゴリズムは、第２の医療従事者が有する知識や経験に基づいて、アップデートされることにより、常に最新の放射線治療装置Ｒを駆使する放射線治療計画を生成することができる。そして、治療計画生成部１１５は、放射線治療計画を生成すると、その放射線治療計画に関する治療計画情報を示すデータを、治療計画情報出力部１１６へ送る。
【００６３】
そして、放射線治療支援サーバ１１０の治療計画情報出力部１１６は、治療計画生成部１１５から送られたデータを受け取ると、そのデータに含まれる治療計画情報を、第２の医療従事者用端末１５０へ出力する（Ｓ３０３）。
【００６４】
このようにして、第２の医療従事者は、例えば、第２の医療従事者用端末１５０のブラウザを介して出力された治療計画情報によって示される放射線治療計画をベースにして、より適切な放射線治療計画に関する治療計画情報を、第２の医療従事者用端末１５０のブラウザを介して入力する（Ｓ３０４）。例えば、第２の医療従事者は、放射線治療支援サーバ１１０により生成された治療計画における患部領域の範囲、危険領域の範囲、放射線を照射する範囲、及び放射線の入射角度等が適切でなければ、適切な情報を入力する。
【００６５】
そして、放射線治療支援サーバ１１０の治療計画情報入力受付部１１７は、第２の医療従事者用端末１５０を介して入力された治療計画情報の入力を受け付けると、その治療計画情報を、治療計画情報格納部１２３に格納されている情報のうち、対応する患者の情報に対応付けて格納する（Ｓ３０５）。このようにして、放射線治療支援サーバ１１０の治療計画情報格納部１２３には、図３に示すように、治療計画情報が対応付けられて格納される。そして、治療計画情報入力受付部１１７は、その治療計画情報を示すデータを、制御コマンド生成部１１８へ送る。
【００６６】
そして、放射線治療支援サーバ１１０の制御コマンド生成部１１８は、治療計画情報入力受付部１１７から送られたデータを受け取ると、そのデータによって示される治療計画情報に基づいて、放射線治療計画に従って放射線治療すべく、放射線治療装置Ｒを制御するための制御コマンドを生成する（Ｓ３０６）。例えば、制御コマンド生成部１１８は、加速器制御コマンド、ビーム輸送制御コマンド、及び放射線治療装置全体の運転制御コマンド等を生成する。そして、制御コマンド生成部１１８は、生成した制御コマンドと、制御コマンドを生成する際に参照した治療計画情報とを含む治療データを、治療データ送信部１１９へ送る。
【００６７】
そして、放射線治療支援サーバ１１０の治療データ送信部１１９は、制御コマンド生成部１１８から送られた治療データを受け取ると、その治療データを、第１の医療従事者用端末１３０へ送信する（Ｓ３０７）。
【００６８】
そして、第１の医療従事者用端末１３０は、放射線治療支援サーバ１１０から送信された治療データを受信すると、その治療データに含まれる治療計画情報を、ディスプレイ等の出力装置へ出力する（Ｓ３０８）。
【００６９】
このようにして、第１の医療従事者は、適切な放射線治療計画を自ら立案することができなくても、第２の医療従事者により立案された適切な放射線治療計画を得ることができ、その放射線治療計画に従って、患者を適切に放射線治療することができる。また、第１の医療従事者は、このようにして、第２の医療従事者により立案された適切な放射線治療計画に従って繰り返し放射線治療を行うことによって、適切な放射線治療計画を自ら立案するスキルを身につけることができる。
【００７０】
図８は、放射線治療支援サーバ１１０、第１の医療従事者用端末１３０、及び第２の医療従事者用端末１５０の動作シーケンスの一例を示す。この動作シーケンスの説明においては、第１の医療従事者が放射線治療計画を立案する処理について詳述する。なおまた、この動作シーケンスの説明においては、図１から図７を共に参照する。
【００７１】
第１の医療従事者は、患者を診療すると、放射線治療支援サーバ１１０が提供する治療計画ソフトウェアを使用して、その患者の放射線治療計画を自ら立案することもできる。例えば、第１の医療従事者は、第１の医療従事者用端末１３０に予めインストールされている所定のブラウザを使用して、放射線治療支援サーバ１１０が提供する治療計画ソフトウェアの機能にアクセスする（Ｓ４０１）。例えば、第１の医療従事者は、治療計画ソフトウェアを使用して患者の放射線治療計画を立案するにあたり、その患者の診察情報に付されたカルテＩＤを入力する。
【００７２】
そして、放射線治療支援サーバ１１０の治療計画生成部１１５は、治療計画ソフトウェアに対するアクセスがあると、治療計画情報格納部１２３に格納されている情報のうち、第１の医療従事者により入力されたカルテＩＤに対応付けられて格納されている対象患者の診察情報を読み出す。また、治療計画生成部１１５は、治療計画情報格納部１２３に既に格納されている他の患者の治療計画情報を読み出す。また、治療計画生成部１１５は、現況情報格納部１２４に格納されている情報のうち、放射線治療装置Ｒの最新の現況情報を読み出す。そして、治療計画生成部１１５は、これら情報に基づいて、ステップＳ３０２において詳述した処理と同様の処理にて放射線治療計画を生成する（Ｓ４０２）。そして、治療計画生成部１１５は、放射線治療計画を生成すると、その放射線治療計画に関する治療計画情報を示すデータを、治療計画情報出力部１１６へ送る。
【００７３】
そして、放射線治療支援サーバ１１０の治療計画情報出力部１１６は、治療計画生成部１１５から送られたデータを受け取ると、そのデータに含まれる治療計画情報を、第１の医療従事者用端末１３０へ出力する（Ｓ４０３）。
【００７４】
このようにして、第１の医療従事者は、例えば、第１の医療従事者用端末１３０のブラウザを介して出力された治療計画情報によって示される放射線治療計画をベースにして、より適切な放射線治療計画に関する治療計画情報を、第１の医療従事者用端末１３０のブラウザを介して入力する（Ｓ４０４）。例えば、第１の医療従事者は、放射線治療支援サーバ１１０により生成された治療計画における患部領域の範囲、危険領域の範囲、放射線を照射する範囲、及び放射線の入射角度等が適切でなければ、適切な情報を入力する。
【００７５】
そして、放射線治療支援サーバ１１０の治療計画情報入力受付部１１７は、第１の医療従事者用端末１３０を介して入力された治療計画情報の入力を受け付けると、その治療計画情報を含む治療計画データを、治療計画データ送信部１２０へ送る。
【００７６】
そして、放射線治療支援サーバ１１０の治療計画データ送信部１２０は、治療計画情報入力受付部１１７から送られた治療計画データを受け取ると、その治療計画データを、第２の医療従事者用端末１５０へ送信する。
【００７７】
そして、第２の医療従事者用端末１５０は、放射線治療支援サーバ１１０から送信された治療計画データを受信すると、その治療計画データに含まれる治療計画情報を出力する（Ｓ４０６）。
【００７８】
このようにして、第２の医療従事者は、例えば、第２の医療従事者用端末１５０のブラウザを介して出力された治療計画情報によって示される、第１の医療従事者によって立案された放射線治療計画を見直して、より適切な放射線治療計画に関する治療計画情報を、第２の医療従事者用端末１５０のブラウザを介して入力する（Ｓ４０７）。例えば、第２の医療従事者は、第１の医療従事者により立案された治療計画における患部領域の範囲、危険領域の範囲、放射線を照射する範囲、及び放射線の入射角度等が適切でなければ、適切な情報を入力する。
【００７９】
そして、放射線治療支援サーバ１１０の治療計画情報入力受付部１１７は、第２の医療従事者用端末１５０を介して入力された治療計画情報の入力を受け付けると、その治療計画情報を、治療計画情報格納部１２３に格納されている情報のうち、対応する患者の情報に対応付けて格納する（Ｓ４０８）。このようにして、放射線治療支援サーバ１１０の治療計画情報格納部１２３には、図３に示すように、治療計画情報が対応付けられて格納される。そして、治療計画情報入力受付部１１７は、その治療計画情報を示すデータを、制御コマンド生成部１１８へ送る。
【００８０】
そして、放射線治療支援サーバ１１０の制御コマンド生成部１１８は、治療計画情報入力受付部１１７から送られたデータを受け取ると、そのデータによって示される治療計画情報に基づいて、放射線治療計画に従って放射線治療すべく、放射線治療装置Ｒを制御するための制御コマンドを生成する（Ｓ４０９）。例えば、制御コマンド生成部１１８は、加速器制御コマンド、ビーム輸送制御コマンド、及び放射線治療装置全体の運転制御コマンド等を生成する。そして、制御コマンド生成部１１８は、生成した制御コマンドと、制御コマンドを生成する際に参照した治療計画情報とを含む治療データを、治療データ送信部１１９へ送る。
【００８１】
そして、放射線治療支援サーバ１１０の治療データ送信部１１９は、制御コマンド生成部１１８から送られた治療データを受け取ると、その治療データを、第１の医療従事者用端末１３０へ送信する（Ｓ４１０）。
【００８２】
そして、第１の医療従事者用端末１３０は、放射線治療支援サーバ１１０から送信された治療データを受信すると、その治療データに含まれる治療計画情報を、ディスプレイ等の出力装置へ出力する（Ｓ４１１）。
【００８３】
このようにして、第１の医療従事者は、自ら放射線治療計画を立案した場合に、よりスキルの高い第２の医療従事者に、その放射線治療計画を確認してもらうことができる。また、第１の医療従事者は、自ら放射線治療計画を立案するにあたり、第２の医療機関Ｍｂに設けられた放射線治療支援サーバ１１０が提供する治療計画ソフトウェアを使用する。そこで、このようなビジネスモデルによっては、治療計画ソフトウェアに対する利用料金を課することによって、第２の医療機関Ｍｂに対して利益をもたらすことができる。
【００８４】
図９は、放射線治療支援サーバ１１０、第１の医療従事者用端末１３０、及び第２の医療従事者用端末１５０の動作シーケンスの一例を示す。この動作シーケンスの説明においては、第１の医療従事者が患者を放射線治療している最中の処理について詳述する。なおまた、この動作シーケンスの説明においては、図１から図８を共に参照する。
【００８５】
第１の医療従事者は、患者を放射線治療するにあたり、放射線治療支援サーバ１１０から受信した治療データに含まれる制御コマンドを使用して、放射線治療装置Ｒを駆動させる。その際、例えば、第１の医療従事者用端末１３０は、放射線治療支援サーバ１１０から受信した治療データに含まれる制御コマンドを、放射線治療装置Ｒへ出力する（Ｓ５０１）。このようにして、第１の医療従事者は、第２の医療従事者が立案した適切な放射線治療計画、又は第１の医療従事者が自ら立案して第２の医療従事者により確認された適切な放射線治療計画に基づいて生成された制御コマンドを用いて、適切な放射線治療を行うことができる。
【００８６】
また、患者が放射線治療を受けている間、第１の医療従事者用端末１３０は、その患者の治療中情報の入力を受け付ける。例えば、第１の医療従事者用端末１３０は、放射線治療装置Ｒから出力された、放射線治療中の患者の患部が撮像された撮像画像の入力を受け付ける。また、例えば、第１の医療従事者用端末１３０は、その他の放射線治療に使用されている各種機器から出力された、患者のバイタルサインの入力を受け付ける。そして、第１の医療従事者用端末１３０は、このような治療中情報を含む治療中データを、放射線治療支援サーバ１１０へ経時的に送信し続ける（Ｓ５０３）。
【００８７】
そして、放射線治療支援サーバ１１０の治療中データ受信部１２１は、第１の医療従事者用端末１３０から送信された治療中データを受信すると、その治療中データを、治療中データ送信部１２２へ送ると共に、その治療中データに含まれる治療中情報を、治療計画情報格納部１２３に格納されている情報のうち、対応する患者の情報に対応付けて格納する（Ｓ５０４）。このようにして、放射線治療支援サーバ１１０の現況情報格納部１２４には、図３に示すように、治療中情報が対応付けられて格納される。
【００８８】
そして、放射線治療支援サーバ１１０の治療中データ送信部１２２は、治療中データ受信部１２１から送られた治療中データを受け取ると、その治療中データを、第２の医療従事者用端末１５０へ送信する（Ｓ５０４）。
【００８９】
そして、第２の医療従事者用端末１５０は、放射線治療支援サーバ１１０から送信された治療中データを受け取ると、その治療中データに含まれる治療中情報を、ディスプレイ等の出力装置へ出力する（Ｓ５０５）。
【００９０】
このようにして、第２の医療従事者は、医療機関Ｍａから地理的に離れた医療機関Ｍｂにいながら、医療機関Ｍａにて行われている放射線治療の様子を確認することができる。その場合、第２の医療従事者は、第２の医療従事者用端末１５０を第１の医療従事者用端末１３０に通信接続させて、テレカンファレンス機能等を使用して、放射線治療に関する細かな指示を行うこともできる。
【００９１】
以上、説明したように、放射線治療支援システム１００は、第１の医療従事者によって使用される第１の医療従事者用端末、及び第２の医療従事者によって使用される第２の医療従事者用端末とそれぞれ通信回線を介して通信接続される放射線治療支援サーバ１１０を備える。そして、放射線治療支援サーバ１１０は、第１の医療従事者により診察された患者の診察情報として、患者の患部が撮像された撮像画像を含む診察データを、第１の医療従事者用端末１３０から受信する。そして、放射線治療支援サーバ１１０は、その診察データを、第２の医療従事者用端末１５０へ送信する。そして、放射線治療支援サーバ１１０は、診察情報を参照して立案された患者に対する放射線治療計画に関する治療計画情報の入力を受け付ける。そして、放射線治療支援サーバ１１０は、その治療計画情報に基づいて、放射線治療計画に従って放射線治療すべく、放射線治療装置Ｒを制御するための制御コマンドを生成する。そして、放射線治療支援サーバ１１０は、その治療計画情報と、その制御コマンドとを含む治療データを、第１の医療従事者用端末１３０へ送信する。
【００９２】
このようにして、放射線治療支援システム１００によっては、患者を放射線治療する医療従事者が自ら放射線治療計画を立案することができなくても、その医療従事者をサポートすることができる。
【００９３】
また、上述したように、放射線治療支援サーバ１１０は、診察データに含まれる診察情報を参照して第２の医療従事者により立案された放射線治療計画に関する治療計画情報の入力を、第２の医療従事者用端末１５０を介して受け付ける。
【００９４】
このようにして、放射線治療支援システム１００によっては、放射線治療を遠隔地からサポートする医療従事者は、放射線治療を行う現地の医療従事者によって診察された患者の診察情報を参照して、適切な放射線治療計画を立案することができる。
【００９５】
また、上述したように、放射線治療支援サーバ１１０は、診察情報を参照して第１の医療従事者により立案された放射線治療計画に関する治療計画情報の入力を、第１の医療従事者用端末１３０を介して受け付ける。
【００９６】
このようにして、放射線治療支援システム１００によっては、放射線治療計画を自ら立案することができるようになった医療従事者に対して、治療計画ソフトウェアを利用させることにより、その治療計画ソフトウェアを管理している医療機関に対して利益をもたらすことができる。
【００９７】
また、上述したように、放射線治療支援サーバ１１０は、治療計画情報の入力を、第１の医療従事者用端末１３０を介して受け付けた場合に、その治療計画情報を含む治療計画データを、第２の医療従事者用端末１５０へ送信する。そして、放射線治療支援サーバ１１０は、治療計画データに含まれる治療計画情報を参照して第２の医療従事者により見直された放射線治療計画に関する治療計画情報の入力を、第２の医療従事者用端末１５０を介して受け付ける。
【００９８】
このようにして、放射線治療支援システム１００によっては、適切ではなくとも放射線治療計画を立案することができるようになった医療従事者に対して、その医療従事者が自ら放射線治療計画を立案した場合に、より適切な放射線治療計画を立案することができる医療従事者によるサポートを提供することができる。
【００９９】
また、上述したように、放射線治療支援サーバ１１０は、診察データに含まれる診察情報と、治療計画情報とを対応付けて格納する。そして、放射線治療支援サーバ１１０は、患者の診察情報と、格納している情報とに基づいて、治療計画を生成する。そして、放射線治療支援サーバ１１０は、その治療計画に関する治療計画情報を出力する。そして、放射線治療支援サーバ１１０は、患者の診察情報と、その治療計画情報とを参照して立案された放射線治療計画に関する治療計画情報の入力を受け付ける。
【０１００】
このようにして、放射線治療支援システム１００によっては、治療計画情報を蓄積していくに連れて、医療従事者が放射線治療計画を立案する際にベースとなる治療計画について、より精度の高いものを生成することができるようになる。
【０１０１】
また、上述したように、放射線治療支援サーバ１１０は、患者の治療歴に関する情報を更に対応付けて格納する。
【０１０２】
このようにして、放射線治療支援システム１００によっては、例えば、その患者がこれまでに受けてきた放射線治療による被爆量を考慮した放射線治療計画を立案することができる。
【０１０３】
また、上述したように、放射線治療支援サーバ１１０は、第１の医療従事者により放射線治療されている最中の患者の治療中情報として、放射線治療中の患者の患部が撮像された撮像画像を含む治療中データを、第１の医療従事者用端末１３０から受信する。そして、放射線治療支援サーバ１１０は、その治療中データを、第２の医療従事者用端末１５０へ送信する。
【０１０４】
このようにして、放射線治療支援システム１００によっては、遠隔地にいる医療従事者が放射線治療中の様子を確認することができる。
【０１０５】
また、上述したように、放射線治療支援サーバ１１０は、放射線治療装置Ｒの現況に関する現況情報を含む現況データを、第１の医療従事者用端末１３０から受信する。そして、放射線治療支援サーバ１１０は、その現況データを、第２の医療従事者用端末１５０へ送信する。
【０１０６】
このようにして、放射線治療支援システム１００によっては、遠隔地にいる医療従事者が放射線治療装置Ｒを保守するのに必要な情報を収集することができる。
【０１０７】
図１０は、本実施形態に係る放射線治療支援サーバ１１０を構成するコンピュータ８００のハードウェア構成の一例を示す。本実施形態に係るコンピュータ８００は、ホストコントローラ８０１により相互に接続されるＣＰＵ（Ｃｅｎｔｒａｌ  Ｐｒｏｃｅｓｓｉｎｇ  Ｕｎｉｔ）８０２、ＲＡＭ（Ｒａｎｄｏｍ  Ａｃｃｅｓｓ  Ｍｅｍｏｒｙ）８０３、グラフィックコントローラ８０４、及びディスプレイ８０５を有するＣＰＵ周辺部と、入出力コントローラ８０６により相互に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する入出力部と、入出力コントローラ８０６に接続されるＲＯＭ（Ｒｅａｄ  Ｏｎｌｙ  Ｍｅｍｏｒｙ）８１０、フレキシブルディスクドライブ８１１、及び入出力チップ８１２を有するレガシー入出力部とを備える。
【０１０８】
ホストコントローラ８０１は、ＲＡＭ８０３と、高い転送レートでＲＡＭ８０３をアクセスするＣＰＵ８０２、及びグラフィックコントローラ８０４とを接続する。ＣＰＵ８０２は、ＲＯＭ８１０、及びＲＡＭ８０３に格納されたプログラムに基づいて動作し、各部の制御を行う。グラフィックコントローラ８０４は、ＣＰＵ８０２等がＲＡＭ８０３内に設けたフレームバッファ上に生成する画像データを取得し、ディスプレイ８０５上に表示させる。これに代えて、グラフィックコントローラ８０４は、ＣＰＵ８０２等が生成する画像データを格納するフレームバッファを、内部に含んでもよい。
【０１０９】
入出力コントローラ８０６は、ホストコントローラ８０１と、比較的高速な入出力装置である通信インターフェース８０７、ハードディスクドライブ８０８、及びＣＤ−ＲＯＭドライブ８０９を接続する。ハードディスクドライブ８０８は、コンピュータ８００内のＣＰＵ８０２が使用するプログラム、及びデータを格納する。ＣＤ−ＲＯＭドライブ８０９は、ＣＤ−ＲＯＭ８９２からプログラム、又はデータを読み取り、ＲＡＭ８０３を介してハードディスクドライブ８０８に提供する。
【０１１０】
また、入出力コントローラ８０６には、ＲＯＭ８１０と、フレキシブルディスクドライブ８１１、及び入出力チップ８１２の比較的低速な入出力装置とが接続される。ＲＯＭ８１０は、コンピュータ８００が起動時に実行するブートプログラム、及び／又はコンピュータ８００のハードウェアに依存するプログラム等を格納する。フレキシブルディスクドライブ８１１は、フレキシブルディスク８９３からプログラム、又はデータを読み取り、ＲＡＭ８０３を介してハードディスクドライブ８０８に提供する。入出力チップ８１２は、フレキシブルディスクドライブ８１１を入出力コントローラ８０６へと接続すると共に、例えばパラレルポート、シリアルポート、キーボードポート、マウスポート等を介して各種の入出力装置を入出力コントローラ８０６へと接続する。
【０１１１】
ＲＡＭ８０３を介してハードディスクドライブ８０８に提供されるプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。プログラムは、記録媒体から読み出され、ＲＡＭ８０３を介してコンピュータ８００内のハードディスクドライブ８０８にインストールされ、ＣＰＵ８０２において実行される。
【０１１２】
コンピュータ８００にインストールされ、コンピュータ８００を放射線治療支援サーバ１１０として機能させるプログラムは、コンピュータ８００を、ステップＳ２０２において、第１の医療従事者により診察された患者の診察情報として、患者の患部が撮像された撮像画像を含む診察データを、第１の医療従事者用端末１３０から受信する診察データ受信部１１３と、診察データ受信部１１３が受信した診察データを、ステップＳ２０４において、第２の医療従事者用端末１５０へ送信する診察データ送信部１１４と、ステップＳ３０４、Ｓ４０７において、診察情報を参照して立案された患者に対する放射線治療計画に関する治療計画情報の入力を受け付ける治療計画情報入力受付部１１７と、治療計画情報入力受付部１１７が入力を受け付けた治療計画情報に基づいて、放射線治療計画に従って放射線治療すべく、放射線治療装置Ｒを制御するための制御コマンドを、ステップＳ３０６、Ｓ４０９において生成する制御コマンド生成部１１８と、治療計画情報入力受付部１１７が入力を受け付けた治療計画情報と、制御コマンド生成部１１８が生成した制御コマンドとを含む治療データを、ステップＳ３０７、Ｓ４１０において、第１の医療従事者用端末１３０へ送信する治療データ送信部として機能させる。
【０１１３】
更に、当該プログラムは、コンピュータ８００を、診察データ送信部１１４が送信した診察データに含まれる診察情報を参照して第２の医療従事者により立案された放射線治療計画に関する治療計画情報の入力を、ステップＳ３０４、Ｓ４０７において、第２の医療従事者用端末１５０を介して受け付ける治療計画情報入力受付部１１７として機能させてもよい。
【０１１４】
更に、当該プログラムは、コンピュータ８００を、診察情報を参照して第１の医療従事者により立案された放射線治療計画に関する治療計画情報の入力を、ステップＳ４０４において、第１の医療従事者用端末１３０を介して受け付ける治療計画情報入力受付部１１７として機能させてもよい。
【０１１５】
更に、当該プログラムは、コンピュータ８００を、治療計画情報入力受付部１１７が治療計画情報の入力を、第１の医療従事者用端末１３０を介して受け付けた場合に、その治療計画情報を含む治療計画データを、ステップＳ４０５において、第２の医療従事者用端末１５０へ送信する治療計画データ送信部１２０と、治療計画データ送信部１２０が送信した治療計画データに含まれる治療計画情報を参照して第２の医療従事者により見直された放射線治療計画に関する治療計画情報の入力を、第２の医療従事者用端末１５０を介して受け付ける治療計画情報入力受付部１１７として機能させてもよい。
【０１１６】
更に、当該プログラムは、コンピュータ８００を、診察データ受信部１１３が受信した診察データに含まれる診察情報と、治療計画情報入力受付部１１７が入力を受け付けた治療計画情報とが対応付けられて格納される治療計画情報格納部１２３と、患者の診察情報と、治療計画情報格納部１２３に格納されている情報とに基づいて、ステップＳ３０２、Ｓ４０２において、治療計画を生成する治療計画生成部１１５と、治療計画生成部１１５が生成した治療計画に関する治療計画情報を、ステップＳ３０３、Ｓ４０３において出力する治療計画情報出力部１１６と、患者の診察情報と、治療計画情報出力部１１６が出力した治療計画情報とを参照して立案された放射線治療計画に関する治療計画情報の入力を、ステップＳ３０４、Ｓ４０４において受け付ける治療計画情報入力受付部１１７として機能させてもよい。
【０１１７】
更に、当該プログラムは、コンピュータ８００を、患者の治療歴に関する情報が更に対応付けられて格納される治療計画情報格納部１２３として機能させてもよい。
【０１１８】
更に、当該プログラムは、コンピュータ８００を、ステップＳ５０３において、第１の医療従事者により放射線治療されている最中の患者の治療中情報として、放射線治療中の患者の患部が撮像された撮像画像を含む治療中データを、第１の医療従事者用端末１３０から受信する治療中データ受信部１２１と、治療中データ受信部１２１が受信した治療中データを、ステップＳ５０４において、第２の医療従事者用端末１５０へ送信する治療中データ送信部１２２として機能させてもよい。
【０１１９】
更に、当該プログラムは、コンピュータ８００を、ステップＳ１０２において、放射線治療装置Ｒの現況に関する現況情報を含む現況データを、第１の医療従事者用端末１３０から受信する現況データ受信部１１１と、現況データ受信部１１１が受信した現況データを、ステップＳ１０３において、第２の医療従事者用端末１５０へ送信する現況データ送信部１１２として機能させてもよい。
【０１２０】
これらのプログラムに記述された情報処理は、コンピュータ８００に読み込まれることにより、ソフトウェアと上述した各種のハードウェア資源とが協働した具体的手段である現況データ受信部１１１、現況データ送信部１１２、診察データ受信部１１３、診察データ送信部１１４、治療計画生成部１１５、治療計画情報出力部１１６、治療計画情報入力受付部１１７、制御コマンド生成部１１８、治療データ送信部１１９、治療計画データ送信部１２０、治療中データ受信部１２１、治療中データ送信部１２２、治療計画情報格納部１２３、及び現況情報格納部１２４として機能する。そして、これらの具体的手段によって、本実施形態におけるコンピュータ８００の使用目的に応じた情報の演算、又は加工を実現することにより、使用目的に応じた特有の放射線治療支援サーバ１１０が構築される。
【０１２１】
一例として、コンピュータ８００と外部の装置等との間で通信を行う場合には、ＣＰＵ８０２は、ＲＡＭ８０３上にロードされた通信プログラムを実行し、通信プログラムに記述された処理内容に基づいて、通信インターフェース８０７に対して通信処理を指示する。通信インターフェース８０７は、ＣＰＵ８０２の制御を受けて、ＲＡＭ８０３、ハードディスクドライブ８０８、フレキシブルディスク８９３、又はＣＤ−ＲＯＭ８９２等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェース８０７は、ダイレクトメモリアクセス方式により記憶装置との間で送受信データを転送してもよく、これに代えて、ＣＰＵ８０２が転送元の記憶装置、又は通信インターフェース８０７からデータを読み出し、転送先の通信インターフェース８０７、又は記憶装置へとデータを書き込むことにより送受信データを転送してもよい。
【０１２２】
また、ＣＰＵ８０２は、ハードディスクドライブ８０８、ＣＤ−ＲＯＭ８９２、フレキシブルディスク８９３等の外部記憶装置に格納されたファイル、又はデータベース等の中から、全部、又は必要な部分をダイレクトメモリアクセス転送等によりＲＡＭ８０３へと読み込ませ、ＲＡＭ８０３上のデータに対して各種の処理を行う。そして、ＣＰＵ８０２は、処理を終えたデータを、ダイレクトメモリアクセス転送等により外部記憶装置へと書き戻す。
【０１２３】
このような処理において、ＲＡＭ８０３は、外部記憶装置の内容を一時的に保持するものとみなせるから、本実施形態においてはＲＡＭ８０３、及び外部記憶装置等をメモリ、記憶部、又は記憶装置等と総称する。本実施形態における各種のプログラム、データ、テーブル、データベース等の各種の情報は、このような記憶装置上に格納されて、情報処理の対象となる。なおまた、ＣＰＵ８０２は、ＲＡＭ８０３の一部をキャッシュメモリに保持し、キャッシュメモリ上で読み書きを行うこともできる。このような形態においても、キャッシュメモリはＲＡＭ８０３の機能の一部を担うから、本実施形態においては、区別して示す場合を除き、キャッシュメモリもＲＡＭ８０３、メモリ、及び／又は記憶装置に含まれるものとする。
【０１２４】
また、ＣＰＵ８０２は、ＲＡＭ８０３から読み出したデータに対して、プログラムの命令列により指定された、本実施形態中に記載した各種の演算、情報の加工、条件判断、情報の検索、置換等を含む各種の処理を行い、ＲＡＭ８０３へと書き戻す。例えば、ＣＰＵ８０２は、条件判断を行う場合においては、本実施形態において示した各種の変数が、他の変数、又は定数と比較して、大きい、小さい、以上、以下、又は等しい等の条件を満たすかどうかを判断し、条件が成立した場合、又は不成立であった場合に、異なる命令列へと分岐し、又はサブルーチンを呼び出す。
【０１２５】
また、ＣＰＵ８０２は、記憶装置内のファイル、又はデータベース等に格納された情報を検索することができる。例えば、第１属性の属性値に対し第２属性の属性値がそれぞれ対応付けられた複数のエントリが記憶装置に格納されている場合において、ＣＰＵ８０２は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【０１２６】
以上に示したプログラム、又はモジュールは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）、又はＣＤ（Ｃｏｍｐａｃｔ  Ｄｉｓｋ）等の光学記録媒体、ＭＯ（Ｍａｇｎｅｔｏ−Ｏｐｔｉｃａｌ  ｄｉｓｋ）等の光磁気記録媒体、テープ媒体、ＩＣカード等の半導体メモリ等を用いることができる。また、専用通信ネットワーク、又はインターネットに接続されたサーバシステムに設けたハードディスク、又はＲＡＭ等の記憶媒体を記録媒体として使用して、ネットワークを介してプログラムをコンピュータ８００に提供してもよい。
【０１２７】
以上、本発明を実施の形態を用いて説明したが、本発明の技術的範囲は、上記実施の形態に記載の範囲には限定されない。上記実施の形態に、多様な変更、又は改良を加えることが可能であることが当業者に明らかである。そのような変更、又は改良を加えた形態も本発明の技術的範囲に含まれ得ることが、特許請求の範囲の記載から明らかである。
【０１２８】
特許請求の範囲、明細書、及び図面中において示したシステム、方法、装置、プログラム、及び記録媒体における動作、手順、ステップ、及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書、及び図面中の動作フローに関して、便宜上「まず、」、「次に、」等を用いて説明したとしても、この順で実施することが必須であることを意味するものではない。
【産業上の利用可能性】
【０１２９】
本発明に係る放射線治療支援システムは、第１の医療従事者によって使用される第１の医療従事者用端末、及び第２の医療従事者によって使用される第２の医療従事者用端末とそれぞれ通信回線を介して通信接続される放射線治療支援サーバを備える。そして、放射線治療支援サーバは、第１の医療従事者により診察された患者の診察情報として、患者の患部が撮像された撮像画像を含む診察データを、第１の医療従事者用端末から受信する。そして、放射線治療支援サーバは、その診察データを、第２の医療従事者用端末へ送信する。そして、放射線治療支援サーバは、診察情報を参照して立案された患者に対する放射線治療計画に関する治療計画情報の入力を受け付ける。そして、放射線治療支援サーバは、その治療計画情報に基づいて、放射線治療計画に従って放射線治療すべく、放射線治療装置を制御するための制御コマンドを生成する。そして、放射線治療支援サーバは、その治療計画情報と、その制御コマンドとを含む治療データを、第１の医療従事者用端末へ送信する。【０１３０】
このようにして、本発明に係る放射線治療支援システムによっては、患者を放射線治療する医療従事者が自ら放射線治療計画を立案することができなくても、その医療従事者をサポートすることができる。
【符号の説明】
【０１３１】
１００    放射線治療支援システム
１１０    放射線治療支援サーバ
１１１    現況データ受信部
１１２    現況データ送信部
１１３    診察データ受信部
１１４    診察データ送信部
１１５    治療計画生成部
１１６    治療計画情報出力部
１１７    治療計画情報入力受付部
１１８    制御コマンド生成部
１１９    治療データ送信部
１２０    治療計画データ送信部
１２１    治療中データ受信部
１２２    治療中データ送信部
１２３    治療計画情報格納部
１２４    現況情報格納部
１３０    第１の医療従事者用端末
１５０    第２の医療従事者用端末
８００    コンピュータ
８０１    ホストコントローラ
８０２    ＣＰＵ
８０３    ＲＡＭ
８０４    グラフィックコントローラ
８０５    ディスプレイ
８０６    入出力コントローラ
８０７    通信インターフェース
８０８    ハードディスクドライブ
８０９    ＣＤ−ＲＯＭドライブ
８１０    ＲＯＭ
８１１    フレキシブルディスクドライブ
８１２    入出力チップ
８９１    ネットワーク通信装置
８９２    ＣＤ−ＲＯＭ
８９３    フレキシブルディスク
Ｄ    医用画像診断装置
Ｍａ    医療機関
Ｍｂ    医療機関
Ｎ    通信回線
Ｒ    放射線治療装置
【要約】
撮像画像を含む診察データを、第１の医療従事者用端末から受信する診察データ受信部と、診察データ受信部が受信した診察データを、第２の医療従事者用端末へ送信する診察データ送信部と、診察情報を参照して立案された患者に対する放射線治療計画に関する治療計画情報の入力を受け付ける治療計画情報入力受付部と、治療計画情報入力受付部が入力を受け付けた治療計画情報に基づいて、放射線治療計画に従って放射線治療すべく、放射線治療装置を制御するための制御コマンドを生成する制御コマンド生成部と、治療計画情報入力受付部が入力を受け付けた治療計画情報と、制御コマンド生成部が生成した制御コマンドとを含む治療データを、第１の医療従事者用端末へ送信する治療データ送信部とを有する。【図１】
0005490327.tif 000002
【図２】
0005490327.tif 000003
【図３】
0005490327.tif 000004
【図４】
0005490327.tif 000005
【図５】
0005490327.tif 000006
【図６】
0005490327.tif 000007
【図７】
0005490327.tif 000008
【図８】
0005490327.tif 000009
【図９】
0005490327.tif 000010
【図１０】
0005490327.tif 000011